(57)【要約】【課題】広範囲の記録転送レートの磁界変調記録に対応することができる磁気ヘッドドライブ回路を提供する。【解決手段】磁気ヘッドに流れる電流の方向を、記録信号に応答して切り替えて主電流として該磁気ヘッドに供給する電流切り替え回路と、電流切り替え回路が磁気ヘッドに流れる主電流を第１の方向に切り替えたときには、該磁気ヘッドに第１の方向の電流を供給する第１の補助電流供給回路と、電流切り替え回路が磁気ヘッドに流れる主電流を第２の方向に切り替えたときには、磁気ヘッドに第２の方向の電流を供給する第２の補助電流供給回路と、電流切り替え回路に任意の強さの電流を供給する第１の電源供給回路と、第１および第２の補助電流供給回路に任意の強さの電流を供給する第２の電源供給回路とを備えている。記録転送レートに応じて、電流切り替え回路と、第１、第２の補助電流供給回路に供給される電流の設定値が変更される。【選択図】　　　図２
2004039047.tif 000002
【特許請求の範囲】
【請求項１】
磁界を発生する磁気ヘッドを、２つの異なる記録転送レートで駆動して磁界変調記録を行う磁気ヘッドドライブ回路において、
前記磁気ヘッドに流れる電流の方向を、記録信号に応答して第１の方向または第２の方向に切り替えて主電流として前記磁気ヘッドに供給する電流切り替え手段と、
前記磁気ヘッドに流れる第１の方向の主電流を補助する第１の補助電流供給手段と、
前記磁気ヘッドに流れる第２の方向の主電流を補助する第２の補助電流供給手段と、
前記第１の補助電流供給手段および前記第２の補助電流供給手段への電源電圧供給を記録転送レートに応じてＯＮ／ＯＦＦする電源供給手段とを有し、
前記電源供給手段は、前記記録転送レートが高い第１の転送レートの時にＯＮとなり、前記第１の補助電流供給手段および、前記第２の補助電流供給手段へ電源電圧を供給し、該記録転送レートが低い第２の転送レートの時にＯＦＦとなり、前記第１の補助電流供給手段および、前記第２の補助電流供給手段への電源電圧供給を遮断することを特徴とする磁気ヘッドドライブ回路。
【請求項２】
磁界を発生する磁気ヘッドを、２つの異なる記録転送レートで駆動して磁界変調記録を行う磁気ヘッドドライブ回路において、
前記磁気ヘッドに流れる電流の方向を、記録信号に応答して第１の方向または第２の方向に切り替えて主電流として前記磁気ヘッドに供給する電流切り替え手段と、
前記磁気ヘッドに流れる第１の方向の主電流を補助する第１の補助電流供給手段と、
前記磁気ヘッドに流れる第２の方向の主電流を補助する第２の補助電流供給手段と、
前記電流切り替え手段に任意の強さの電流を供給する第１の電源供給手段と、
前記第１の補助電流供給手段および前記第２の補助電流供給手段に任意の強さの電流を供給する第２の電源供給手段と、
を有し、
前記記録転送レートが高い転送レートのときには、前記第１の電源供給手段は前記電流切り替え手段に供給される電流を相対的に小さく設定し、前記第２の電源供給手段は前記第１の補助電流供給手段および前記第２の補助電流供給手段に供給する電流を相対的に大きく設定することを特徴とする、磁気ヘッドドライブ回路。
【請求項３】
前記電源供給手段は、スイッチまたは可変定電流装置もしくは可変定電圧装置であることを特徴とする、請求項１に記載の磁気ヘッドドライブ回路。
【請求項４】
前記第１の電源供給手段及び第２の電源供給手段は、可変定電流装置または可変定電圧装置であることを特徴とする、請求項２に記載の磁気ヘッドドライブ回路。
【請求項５】
前記第１の補助電流供給手段及び第２の補助電流供給手段は、前記磁気ヘッドのインダクタンスよりも大きなインダクタンスを有するコイルであることを特徴とする、請求項１または請求項２に記載の磁気ヘッドドライブ回路。
【請求項６】
前記第１の補助電流供給手段及び第２の補助電流供給手段は、整流素子であることを特徴とする、請求項１または請求項２記載の磁気ヘッドドライブ回路。
【請求項７】
請求項１または請求項２記載の磁気ヘッドドライブ回路を有することを特徴とする、光磁気ディスク装置。
【請求項８】
磁界を発生する磁気ヘッドを、２つの異なる記録転送レートで駆動して磁界変調記録を行う磁気ヘッド駆動方法において、
前記磁気ヘッドに流れる電流の方向を、記録信号に応答して第１の方向または第２の方向に切り替えて主電流として前記磁気ヘッドに供給する電流切り替え手段と、
前記磁気ヘッドに流れる第１の方向の主電流を補助する第１の補助電流供給手段と、
前記磁気ヘッドに流れる第２の方向の主電流を補助する第２の補助電流供給手段と、
前記第１の補助電流供給手段および前記第２の補助電流供給手段への電源電圧供給を記録転送レートに応じてＯＮ／ＯＦＦする電源供給手段とを設け、
前記記録転送レートが高い第１の転送レートの時、前記電源供給手段をＯＮにして、前記第１の補助電流供給手段および、前記第２の補助電流供給手段へ電源電圧を供給し、該記録転送レートが低い第２の転送レートの時、該電源供給手段をＯＦＦにして、前記第１の補助電流供給手段および、前記第２の補助電流供給手段への電源電圧供給を遮断することを特徴とする磁気ヘッド駆動方法。
【請求項９】
磁界を発生する磁気ヘッドを、２つの異なる記録転送レートで駆動して磁界変調記録を行う磁気ヘッド駆動方法において、
前記磁気ヘッドに流れる電流の方向を、記録信号に応答して第１の方向または第２の方向に切り替えて主電流として前記磁気ヘッドに供給する電流切り替え手段と、
前記磁気ヘッドに流れる第１の方向の主電流を補助する第１の補助電流供給手段と、
前記磁気ヘッドに流れる第２の方向の主電流を補助する第２の補助電流供給手段と、
前記電流切り替え手段に任意の強さの電流を供給する第１の電源供給手段と、
前記第１の補助電流供給手段および前記第２の補助電流供給手段に任意の強さの電流を供給する第２の電源供給手段と、
を設け、
前記記録転送レートが高い転送レートのときには、前記第１の電源供給手段により前記電流切り替え手段に供給される電流を相対的に小さく設定し、前記第２の電源供給手段により前記第１の補助電流供給手段および前記第２の補助電流供給手段に供給される電流を相対的に大きく設定することを特徴とする、磁気ヘッド駆動方法。
【発明の詳細な説明】
【０００１】
【発明の属する技術分野】
本発明は、光磁気ディスクを用いる光磁気ディスク装置に関し、特に、光磁気ディスクへの情報記録に用いる磁気ヘッドを、光磁気ディスクへの情報記録速度に応じて、最適動作に切り替える磁気ヘッドドライブ回路に関する。
【０００２】
【従来の技術】
近年、情報の高密度記録媒体として光磁気ディスクが注目されている。
光磁気ディスクは、情報の記録再生が行われる記録再生トラックを複数の磁性膜で構成し、その記録再生トラックを同心円状または螺旋状に設けたものである。光磁気ディスクを用いる装置として、ミニディスク（以下、ＭＤと記す）が音楽の記録再生用として広く普及している。
【０００３】
ＭＤにおける再生方法は、概略次のように実施される。
半導体レーザ等の光源を用いて光磁気ディスクへ光ビームを照射する。光磁気ディスクに照射された光ビームは、該光磁気ディスクを構成する磁性膜の磁区の磁化方向に依存する磁気光学効果を受けて偏りの向きを変えて反射される。以下、この反射を偏向反射と記す。偏向反射された光ビームは、検光素子と光電変換素子によって光ビームの偏より方向に応じた電気的再生信号として検出される。このようにして、該光磁気ディスクからの情報再生が行われる。
【０００４】
また、ＭＤにおける記録方法の概略動作は次のように行われる。光磁気ディスクに半導体レーザ等の光源を用いて光ビームを照射する。この時、照射される光ビームは、再生時における光ビーム強度よりも強い強度であり、該光ビームの照射される光磁気ディスクを局所的に加熱する。光ビームで加熱された磁性層の部分（磁区）は、光磁気ディスクを構成する磁性膜のキュリー温度を超える温度になると、磁性膜の保磁力が低下し、それまで記録されていた磁化状態を消失する。
この時、該光ビームで加熱されて保持力の低下した磁性層部分に、外部から磁界を印加すると、その外部磁界と同じ向きに磁化の状態を切り替えることができる。したがって、該外部磁界を記録情報に応じて変調することにより、該光磁気ディスクに新しい情報の記録が行われる（磁界変調記録）。
【０００５】
図６は、ＭＤで広く用いられている磁気ヘッドドライブ回路である。
磁気ヘッド６１は、約５００μｍ四方の小さなコアとコイルで構成され、光磁気ディスクを構成する磁性膜に近接して配置され、該磁性膜に磁界を印可する。スイッチ６２Ａ、６２Ｂ、６２Ｃ、６２Ｄは、ＦＥＴ等で構成され、磁気ヘッド６１に流れる電流の向きを切り替える。これら２対のスイッチ６２Ａ、６２Ｂ、６２Ｃ、６２Ｄはブリッジ回路を構成する。制御信号６４Ａ、６４Ｂ、６４Ｃ、６４Ｄは、スイッチ６２Ａ、６２Ｂ、６２Ｃ、６２Ｄの制御信号である。制御信号６４Ａ、６４Ｄが論理１、制御信号６４Ｃ、６４Ｂが論理０になると、スイッチ６２Ａ、６２ＤがＯＮ状態、スイッチ６２Ｃ、６２ＢがＯＦＦ状態になり、磁気ヘッド６１には、図６中のＡの方向に電流が流れる。制御信号６４Ｃ、６４Ｂが論理１、制御信号６４Ａ、６４Ｄが論理０になると、スイッチ６２Ａ、６２ＤがＯＦＦ状態、スイッチ６２Ｃ、６２ＢがＯＮ状態になり、磁気ヘッド６１には、図６中のＢの方向に電流が流れる。
【０００６】
上記のようにして、制御信号６４Ａ、６４Ｂ、６４Ｃ、６４Ｄとして記録信号を用いることによって、磁気ヘッド６１の発生磁界は記録信号に応じて変調される。
【０００７】
抵抗６６Ａ、６６Ｂは、磁気ヘッド６１に流れる電流を制限する電流制限抵抗である。磁気ヘッド６１に流れる電流は、電源電圧ＶＣＣと該電流制限抵抗６６Ａ、６６Ｂによってほぼ決定され、その電流によって光磁気ディスクに印加される磁界強度も決定される。
【０００８】
また、近年の光磁気ディスクの分野においては、前記のＭＤに比べて数倍の高記録密度の記録を達成すると共に、その記録再生速度も数倍に速くするための技術開発が盛んに行われており、例えば、磁気超解像技術や磁壁移動技術等が広く知られている。
【０００９】
磁気超解像技術による記録再生方法は、基本的に前記ＭＤと同様である。
【００１０】
磁気超解像技術の特徴は、光磁気ディスクから記録信号を再生する時、光ビームで光磁気ディスクを僅かに加熱する。該光ビームによる加熱により、該光ビームのスポットサイズよりも微小サイズの磁区に記録された情報が再生可能になる。
【００１１】
また、前記磁壁移動技術の記録再生方法も、基本的には前記ＭＤと同様である。
磁壁移動技術の特徴は、光磁気ディスクから記録信号を再生する時、光ビームで光磁気ディスクを僅かに加熱する。該光ビームによる加熱により、当該記録磁区を読み出す短い時間だけ、光磁気ディスク上の磁化状態の境界（以下、磁壁と記す）を移動させることにより、該光ビームのスポットサイズよりも微小サイズの磁区に記録されている情報を再生することを可能としている。
【００１２】
上記の超解像技術や磁壁移動技術を採用する場合においても、信号の記録は、ＭＤと同様に、外部磁界を記録情報に応じて変調することによって、光磁気ディスクに新しい情報を記録する磁界変調記録が広く用いられる。
【００１３】
図７は、特開昭６３−９４４０６号公報に開示されているような高密度記録並びに高速記録を達成するために広く用いられている磁気ヘッドドライブ回路の構成を示す回路図である。
【００１４】
磁気ヘッド（ＬＨ）７１は、光磁気ディスクを構成する磁性膜に近接して配置され、該磁性膜に磁界を印可する。磁気ヘッド７１は、ＭＤに比べて数倍の高密度記録および高速記録を達成するために、約１５０μｍ四方の小さなコアとコイルで構成されている。スイッチ７２Ａ、７２Ｂは、ＦＥＴ等で構成され、磁気ヘッド７１に流れる電流の方向を切り替えるスイッチである。制御信号７４Ａおよび７４Ｂは、それぞれスイッチ７２Ａおよび７２Ｂを制御する。該制御信号７４Ｂを論理１の状態とし、制御信号７４Ａを論理０の状態にすると、スイッチ７２ＢがＯＮ状態になり、スイッチ７２ＡがＯＦＦ状態になる。その結果、磁気ヘッド７１には図７中のＡの方向に電流が流れる。逆に、制御信号７４Ａを論理１の状態とし、制御信号７４Ｂを論理０の状態にすると、スイッチ７２ＡがＯＮ状態となり、スイッチ７２ＢがＯＦＦ状態になる。その結果、磁気ヘッド７１には図７中のＢの方向に電流が流れる。したがって、制御信号７４Ａおよび７４Ｂとして記録信号を用いてスイッチ７２Ａ、７２Ｂを駆動することによって、磁気ヘッド７１の発生磁界を記録信号に応じて変調することができる。
【００１５】
参照番号７３Ａおよび７３Ｂで指定されている部品は、磁気ヘッド７１に流れる電流を高速に反転させるための補助手段で、磁気ヘッド７１よりも十分に大きなインダクタンスを持つコイルで構成されている。
【００１６】
抵抗７５Ａおよび７５Ｂは、磁気ヘッド７１に流れる電流を制限する電流制限抵抗である。磁気ヘッド７１に流れる電流は、電源電圧ＶＣＣと電流制限抵抗７５Ａ、７５Ｂによってほぼ決定され、その電流値によって光磁気ディスクに印加される磁界強度が決定される。
【００１７】
図８は、特開平５−１２８４０２号公報に開示されている磁気ヘッドドライブ回路の構成を示す回路図である。
【００１８】
磁気ヘッド（ＬＨ）８１は、光磁気ディスクを構成する磁性膜に近接して配置され、光磁気ディスクの磁性膜に磁界を印可する。磁気ヘッド８１は、ＭＤに比べて数倍の高密度記録および高速記録を達成するために、約１５０μｍ四方の小さなコアとコイルで構成される。
【００１９】
スイッチ８２Ａ、８２Ｂ、８２Ｃ、８２ＤはＦＥＴ等で構成され、磁気ヘッド８１に流れる電流の方向を切り替える。２対のスイッチ８２Ａ、８２Ｂ、８２Ｃ、８２Ｄはブリッジ回路を構成する。制御信号８４Ａ、８４Ｂ、８４Ｃ、８４Ｄは、それぞれ、スイッチ８２Ａ、８２Ｂ、８２Ｃ、８２Ｄをオン・オフ制御する。制御信号８４Ａおよび８４Ｄを論理１の状態にし、制御信号８４Ｂおよび８４Ｃを論理０の状態することによって、スイッチ８２Ａおよび８２ＤがＯＮ状態になり、スイッチ８２Ｂおよび８２ＣがＯＦＦ状態になる。その結果、磁気ヘッド８１に図８中のＡの方向に電流が流れる。逆に、制御信号８４Ａおよび８４Ｄを論理０の状態にし、制御信号８４Ｂおよび８４Ｃを論理１の状態することによって、スイッチ８２Ａおよび８２ＤがＯＦＦ状態になり、スイッチ８２Ｂおよび８２ＣがＯＮ状態になる。その結果、磁気ヘッド８１に図８中のＢの方向に電流が流れる。
【００２０】
したがって、制御信号８４Ａ、８４Ｂ、８４Ｃ、８４Ｄとして記録信号を用いてそれぞれのスイッチ８２Ａ、８２Ｂ、８２Ｃ、８２Ｄを駆動することによって、磁気ヘッド８１の発生磁界が記録信号に応じて変調される。
【００２１】
図中、参照番号８３Ａおよび８３Ｂで指定されている部品は、磁気ヘッド８１に流れる電流を高速に反転させるための補助手段であって、磁気ヘッド８１よりも十分に大きなインダクタンスを持つコイルで構成される。
【００２２】
抵抗８５Ａは、電源電圧ＶＤＤからコイル８３Ａを通って磁気ヘッド１に流れる補助電流を制限する電流制限抵抗であり、抵抗８５Ｂは、電源電圧ＶＤＤから補助手段８３Ｂを通って磁気ヘッド８１に流れる補助電流を制限する電流制限抵抗である。磁気ヘッド８１に流れる補助電流は、電源電圧ＶＤＤと該電流制限抵抗８５Ａ、８５Ｂによってほぼ決定される。
【００２３】
抵抗８６Ａおよび８６Ｂは、電源電圧ＶＣＣからスイッチ８２Ａ、８２Ｄおよび８２Ｂ、８２Ｃを通って磁気ヘッド８１に流れる主電流を制限する電流制限抵抗である。磁気ヘッド８１に流れる主電流は、電源電圧ＶＣＣと該電流制限抵抗８６Ａ、８６Ｂによってほぼ決定される。光磁気ディスクに印加される磁界強度は、主電流及び前記補助電流によって決定される。
【００２４】
【発明が解決しようとする課題】
従来、光磁気ディスクの記録に用いられる磁気ヘッド８１の駆動方法としては、前記の図６、図７、図８に記載されているような磁気ヘッドドライブ回路が広く用いられている。
【００２５】
しかし、図６に示されているドライブ回路は、スイッチ６２Ａおよび６２Ｄ、６２Ｂおよび６２Ｃのスイッチング動作で磁気ヘッド６１の電流方向を切り替えるので、磁気ヘッド６１による磁界の高速変調が困難であり、磁気ヘッド６１のインダクタンス及び駆動電流にもよるが、おおよそ１ＭＨｚ以下の変調速度であり高速駆動が困難であるという問題点がある。
【００２６】
図７に示されているドライブ回路は、磁気ヘッド７１の両端に設けられた補助手段７３Ａおよび７３Ｂに用いられている高インダクタンスコイルに蓄積されている誘導エネルギーを利用して磁気ヘッド７１に流れる電流を高速に切り替える。この回路では、基本的に、電流の切り替えによって逆向きの電流が磁気ヘッド７１に蓄積すべき誘導エネルギーを、磁気ヘッド７１と、２つの高インダクタンスコイルのそれぞれとの間のエネルギー授受によって生成される（回路の電流パスの切り替えによって２つの高インダクタンスコイルに生じる誘導起電力によって磁気ヘッド７１を流れる電流の切り替えが行われる。）。
【００２７】
上記のように、図７に示した回路では、電源から供給される電流の切り替え時に発生する誘導起電力によって切り替え前の電流の立ち下げと切り替え後の電流の立ち上げが行われるので、磁気ヘッド７１のインダクタンス及び駆動電流にもよるが、１０ＭＨｚ程度までの高い変調速度を達成することができるものとなっている。
【００２８】
しかしながら、図７に示す磁気ヘッドドライブ回路においては、補助手段７３Ａまたは７３Ｂを通して磁気ヘッド７１に流れる電流以外に、補助手段７３Ｂまたは７３Ａから直接にグラウンドに電流が流れ、したがって、磁気ヘッド７１を通らない無駄な電流が存在するので、必要以上にドライブ回路の消費電力が大きくなるとい問題点がある。
【００２９】
さらに、このドライブ回路においては、磁気ヘッド７１の変調速度を低くすると、補助手段７３Ａ、７３Ｂに用いられるコイルの動作インピーダンスが低下する。補助手段７３Ａ、７３Ｂの動作インピーダンスの低下は、同時にドライブ回路の動作インピーダンスの低下となる。そのため、磁気ヘッド７１の変調速度を低下させると、該ドライブ回路には過大な電流が流れる。ドライブ回路の電流増加は、消費電力も増大するばかりでなく、磁気ヘッド７１に流れる電流も増加する。その結果、該磁気ヘッド７１に用いられるコア及びコイルの温度上昇や、その温度上昇によってコイルが断線する等の問題が起きる。
【００３０】
これらの理由によって、図７に示されている該ドライブ回路は、磁気ヘッド７１の高速に変調することには適しているが、該磁気ヘッド７１を低速に変調するには不向きである。
【００３１】
図８に示されているドライブ回路は、磁気ヘッド８１の両端に設けられた補助手段８３Ａおよび８３Ｂに用いられている高インダクタンスコイルに蓄積されている誘導エネルギーを利用して磁気ヘッド８１に流れる電流を高速に切り替える。また２対のスイッチ８２Ａ、８２Ｂ、８２Ｃ、８２Ｄで構成されるブリッジ回路を併設してこのブリッジ回路の出力端子を磁気ヘッド８１に接続することによって、補助電流供給回路８３Ａ、８３Ｂの電流を効率よく利用することができる。磁気ヘッド８１のインダクタンス及び駆動電流にもよるが、この回路は１５ＭＨｚ程度までの変調速度を達成することができる。
【００３２】
図８に示されている該ドライブ回路においても、補助手段８３Ａまたは８３Ｂを通して磁気ヘッド８１に流れる電流の他に、該補助手段８３Ｂまたは８３Ａからグラウンドに流れ、その結果、磁気ヘッド８１に流れない無駄な電流が、図７に示したドライブ回路よりは小さいものの存在する。したがって、必要以上に消費電力が大きくなるという問題点がある。
【００３３】
さらに、図８に示したドライブ回路においては、磁気ヘッド８１によって生成される記録磁界の変調速度を低くすると、図７に示されているドライブ回路と同様に、補助手段８３Ａ、８３Ｂに用いられるコイルの動作インピーダンスが低下する。補助手段８３Ａ、８３Ｂの動作インピーダンスの低下は、同時にドライブ回路の動作インピーダンスの低下となる。その結果、記録磁界の変調速度の低下によって、図７に示されているドライブ回路と同様に、ドライブ回路には過大な電流が流れる。ドライブ回路の電流が増加すると、消費電力が増大するばかりでなく、磁気ヘッド８１に流れる電流も増加する。その結果、該磁気ヘッド８１に用いられるコア及びコイルの温度上昇や、該温度上昇によりコイルが断線する等の問題を起こす。
【００３４】
これらの理由から、図８に示されているドライブ回路は、図７に示されているドライブ回路と同様に、磁気ヘッド８１の高速な変調には適しているものの、磁気ヘッド８１を低速変調するには不向きである。
【００３５】
以上のように、図６、図７、図８に示されている従来のドライブ回路は、低速変調用として図６のドライブ回路、高速変調用として図７または図８のドライブ回路が使用される。
【００３６】
その結果、ＭＤのような低速な記録再生速度と、超解像技術や磁壁移動技術を用いる高速な記録再生速度を、同じ光磁気ディスク装置として実現することは困難である。
【００３７】
このため、複数の磁気ヘッドと複数のドライブ回路を同一装置内に設けることによって、ＭＤのような低速な記録再生速度と、超解像技術や磁壁移動技術を用いる高速な記録再生速度とに応じてドライブ回路を使い分ける方法が考えられる。しかし、この方法は、これら部品・実装スペースの増加や、コストの増加を招くばかりばかりでなく、装置の小型化を困難にする。
【００３８】
さらに、高速変調用として図７または図８の高速記録用のドライブ回路を唯一つ用いる装置において、ＭＤの記録再生速度のように低速な記録再生速度を実現しようとすると、過大な電流・消費電力の増加が生じる。
【００３９】
さらには、光磁気ディスクの記録位置（半径）によって、複数の記録速度に切り替えを行うＺＣＡＶ方式において、高速記録用の図７または図８のドライブ回路を、唯一つ用いると、低速な記録再生速度に切り替えたとき、過大な電流・消費電力の増加が発生する。
【００４０】
本発明は上述したような従来の技術が有する問題点に鑑みてなされたものであって、高速記録と低速記録との両方に使用することができる磁気ヘッドドライブ回路を提供することを目的とする。
【００４１】
【課題を解決するための手段】
本発明の第１の形態による磁気ヘッドドライブ回路は、磁界を発生する磁気ヘッドを、２つの異なる記録転送レートで駆動して磁界変調記録を行う磁気ヘッドドライブ回路において、
前記磁気ヘッドに流れる電流の方向を、記録信号に応答して第１の方向または第２の方向に切り替えて主電流として前記磁気ヘッドに供給する電流切り替え手段と、
前記磁気ヘッドに流れる第１の方向の主電流を補助する第１の補助電流供給手段と、
前記磁気ヘッドに流れる第２の方向の主電流を補助する第２の補助電流供給手段と、
前記第１の補助電流供給手段および前記第２の補助電流供給手段への電源電圧供給を記録転送レートに応じてＯＮ／ＯＦＦする電源供給手段とを有し、
前記電源供給手段は、前記記録転送レートが高い第１の転送レートの時にＯＮとなり、前記第１の補助電流供給手段および、前記第２の補助電流供給手段へ電源電圧を供給し、該記録転送レートが低い第２の転送レートの時にＯＦＦとなり、前記第１の補助電流供給手段および、前記第２の補助電流供給手段への電源電圧供給を遮断することを特徴とする。
【００４２】
本発明の第１の形態による磁気ヘッド駆動方法は、磁界を発生する磁気ヘッドを、２つの異なる記録転送レートで駆動して磁界変調記録を行う磁気ヘッド駆動方法において、
前記磁気ヘッドに流れる電流の方向を、記録信号に応答して第１の方向または第２の方向に切り替えて主電流として前記磁気ヘッドに供給する電流切り替え手段と、
前記磁気ヘッドに流れる第１の方向の主電流を補助する第１の補助電流供給手段と、
前記磁気ヘッドに流れる第２の方向の主電流を補助する第２の補助電流供給手段と、
前記第１の補助電流供給手段および前記第２の補助電流供給手段への電源電圧供給を記録転送レートに応じてＯＮ／ＯＦＦする電源供給手段とを設け、
前記記録転送レートが高い第１の転送レートの時、前記電源供給手段をＯＮにして、前記第１の補助電流供給手段および、前記第２の補助電流供給手段へ電源電圧を供給し、該記録転送レートが低い第２の転送レートの時、該電源供給手段をＯＦＦにして、前記第１の補助電流供給手段および、前記第２の補助電流供給手段への電源電圧供給を遮断することを特徴とする。
【００４３】
上記のようにして、高速記録（記録転送レートが高い）の場合には、第１および第２の補助電流供給回路から供給される補助電流によって切り替え前の電流を立ち下げ、切り替え後の電流を立ち上げる。また、低速記録（記録転送レートが低い）の場合には、第１および第２の補助電流供給回路からの補助電流の供給を遮断し、電流切り替え回路から供給される主電流の切り替えによって磁気ヘッド電流を切り替える。
【００４４】
したがって、高速記録時には、第１および第２の補助電流供給回路によって電流の急速な立ち下げと立ち上げを達成し、低速記録時には第１および第２の補助電流供給回路の動作インピーダンスが低下することによって過大な電流が流れることを防止することができる。
【００４５】
本発明の第２の形態による磁気ヘッドドライブ回路は、磁界を発生する磁気ヘッドを、２つの異なる記録転送レートで駆動して磁界変調記録を行う磁気ヘッドドライブ回路において、
前記磁気ヘッドに流れる電流の方向を、記録信号に応答して第１の方向または第２の方向に切り替えて主電流として前記磁気ヘッドに供給する電流切り替え手段と、
前記磁気ヘッドに流れる第１の方向の主電流を補助する第１の補助電流供給手段と、
前記磁気ヘッドに流れる第２の方向の主電流を補助する第２の補助電流供給手段と、
前記電流切り替え手段に任意の強さの電流を供給する第１の電源供給手段と、前記第１の補助電流供給手段および前記第２の補助電流供給手段に任意の強さの電流を供給する第２の電源供給手段と、
を有し、
前記記録転送レートが高い転送レートのときには、前記第１の電源供給手段は前記電流切り替え手段に供給される電流を相対的に小さく設定し、前記第２の電源供給手段は前記第１の補助電流供給手段および前記第２の補助電流供給手段に供給する電流を相対的に大きく設定することを特徴とする。
【００４６】
本発明の第２の形態による磁気ヘッド駆動方法は、磁界を発生する磁気ヘッドを、２つの異なる記録転送レートで駆動して磁界変調記録を行う磁気ヘッド駆動方法において、
前記磁気ヘッドに流れる電流の方向を、記録信号に応答して第１の方向または第２の方向に切り替えて主電流として前記磁気ヘッドに供給する電流切り替え手段と、
前記磁気ヘッドに流れる第１の方向の主電流を補助する第１の補助電流供給手段と、
前記磁気ヘッドに流れる第２の方向の主電流を補助する第２の補助電流供給手段と、
前記電流切り替え手段に任意の強さの電流を供給する第１の電源供給手段と、前記第１の補助電流供給手段および前記第２の補助電流供給手段に任意の強さの電流を供給する第２の電源供給手段と、
を設け、
前記記録転送レートが高い転送レートのときには、前記第１の電源供給手段により前記電流切り替え手段に供給される電流を相対的に小さく設定し、前記第２の電源供給手段により前記第１の補助電流供給手段および前記第２の補助電流供給手段に供給される電流を相対的に大きく設定することを特徴とする。
【００４７】
上記のように、高速記録のときには、第１の補助電流供給回路および第２の補助電流供給回路に供給される電流を大きく設定して電流切り替え回路に供給される電流を小さく設定し、低速記録のときには、その逆に電流設定をすることによって、全体としての電力をほぼ一定に保ったまま、電流切り替え速度、したがって、記録転送レートを所望の値に設定することができる。
【００４８】
電源供給回路は、スイッチまたは可変定電流装置もしくは可変定電圧装置であることが望ましい。
【００４９】
第１の電源供給回路及び第２の電源供給回路は、可変定電流装置または可変定電圧装置であることが望ましい。
【００５０】
第１の補助電流供給回路及び第２の補助電流供給回路は、前記磁気ヘッドのインダクタンスよりも大きなインダクタンスを有するコイルであることが望ましい。
【００５１】
第１の補助電流供給回路及び第２の補助電流供給回路として、整流素子を用いることができる。
【００５２】
本発明による光磁気ディスク装置は、上記のいずれかに記載の磁気ヘッドドライブ回路を有することを特徴とする。
【００５３】
【発明の実施の形態】
次に、本発明の実施形態について図面を参照して説明する。
【００５４】
図１は本発明の磁気ヘッドドライブ回路の第１の実施形態を示す回路図である。
【００５５】
図１において、磁気ヘッド（ＬＨ）１は、記録情報に応じて変調される外部磁界を光磁気ディスクに印加する。スイッチ２Ａ、２Ｂ、２Ｃ、２Ｄは、それぞれトランジスタやＦＥＴで構成され、磁気ヘッド１に流れる電流方向を切り替える。これら２対のスイッチ２Ａ、２Ｂ、２Ｃ、２Ｄは、ＶＣＣを駆動電源とするブリッジ回路を構成し、その出力端子は磁気ヘッド１に接続されている。
【００５６】
補助電流供給回路３Ａ、３Ｂは、磁気ヘッド１のインダクタンスよりも十分に大きなインダクタンスを有する誘導性素子で、例えば、高インダクタンスのコイルで構成される。補助電流供給回路３Ａ、３Ｂは磁気ヘッド１の電流の切り替え時にスイッチが切り替わったとき、誘導電圧を発生して、スイッチ切り替え前に磁気ヘッド１に流れていた電流を立ち下げ、新たな方向（逆方向）に磁気ヘッド電流を立ち上げる。
【００５７】
制御信号４Ａ、４Ｂ、４Ｃ、４Ｄは、２対のスイッチ２Ａ、２Ｂ、２Ｃ、２Ｄを記録信号に同期してＯＮ／ＯＦＦ制御する。制御信号４Ａ、４Ｄが論理１、制御信号４Ｂ、４Ｃが論理０のときには、磁気ヘッド１には図１中のＡで示されている方向に電流が流れる。また、制御信号４Ａ、４Ｄが論理０、制御信号４Ｂ、４Ｃが論理１のとき、磁気ヘッド１には図１中のＢで示されている方向の電流が流れる。
【００５８】
抵抗器５Ａおよび５Ｂは、電源ＶＤＤから、磁気ヘッド１に供給される電流値を決定する電流制限抵抗である。該電流制限抵抗５Ａ、５Ｂの代替手段として、該補助電流供給回路３Ａ、３Ｂが接続される電源ＶＤＤの電圧を予め調整することによって、電源ＶＤＤから、磁気ヘッド１に供給する定常電流値を決定しておくこともできる。
【００５９】
抵抗器６Ａおよび６Ｂは、２対のスイッチ２Ａ、２Ｂ、２Ｃ、２Ｄで構成されるブリッジ回路によって磁気ヘッド１に供給される電流値を決定する電流制限抵抗である。抵抗器６Ａ、６Ｂの代替手段として、該ブリッジ回路に接続される電源電圧ＶＣＣを予め調整して、該２対のスイッチ２Ａ、２Ｂ、２Ｃ、２Ｄで構成されるブリッジ回路によって、磁気ヘッド１に供給される電流値を決定しておくこともできる。
【００６０】
電源供給スイッチ７は、補助電流供給回路３Ａ、３Ｂに供給される電源電圧ＶＤＤをＯＮ／ＯＦＦする。電源供給スイッチ７はトランジスタやＦＥＴ、さらにはリレー等で構成される。
【００６１】
以下、本実施形態の動作について詳細に説明する。
【００６２】
本実施形態の特徴とするところは、光磁気ディスクの記録速度に応じた動作を行なうことである。
【００６３】
１）高速記録動作の場合
先ず、超解像技術や磁壁移動技術が用いられる光磁気ディスク装置のように、記録速度が極めて高速な場合について説明する。
【００６４】
図示しないＣＰＵ等により、光磁気ディスクへ記録する速度に関して高速記録モードが選択されると、電源供給スイッチ７がＯＮにされて、補助電流供給回路３Ａおよび３Ｂに電源電圧ＶＤＤが供給される。
【００６５】
次に、２対のスイッチ２Ａ、２Ｂ、２Ｃ、２Ｄが、制御信号４Ａ、４Ｂ、４Ｃ、４ＤによってＯＮ／ＯＦＦ制御される。
【００６６】
制御信号４Ａおよび４Ｄが論理１、４Ｂおよび４Ｃが論理０になっているとすると、これらの制御信号に対応してスイッチ２Ａおよび２ＤがＯＮ、２Ｂおよび２ＣがＯＦＦになる。この時、ブリッジ回路の接続される電源電圧ＶＣＣから、抵抗器６Ａ、スイッチ２Ａ、磁気ヘッド１、スイッチ２Ｄの順に、図中Ａの方向に磁気ヘッド電流（主電流）が流れる。また、電源電圧ＶＤＤ、電源供給スイッチ７、抵抗器５Ａ並びに補助電流供給回路３Ａからも、図中Ａの方向に磁気ヘッド電流（補助電流）が供給される。一方、電源電圧ＶＤＤ、電源供給スイッチ７、抵抗器５Ｂおよび補助電流供給回路３Ｂを流れる電流は、磁気ヘッド１に流れ込むことなく、スイッチ２Ｄへと流れる。
【００６７】
次に、制御信号４Ａおよび４Ｄが論理０、制御信号４Ｂおよび４Ｃが論理１に切り替わると、これら制御信号に対応してスイッチ２Ａおよび２ＤがＯＦＦ、スイッチ２Ｂおよび２ＣがＯＮになる。このスイッチ切り替え時、磁気ヘッド１はインダクタンスを持っているので、それまでに流れていた電流方向、この場合は図１のＡの方向に電流を流し続けようとする誘導起電力（以下、第１の誘導起電力と記す）を発生する。また同時に、磁気ヘッド１の一端１０Ｂに設けられた補助電流供給回路３Ｂもインダクタンスを持っているので、それまでに流れていた電流（補助電流供給回路３Ｂからスイッチ２Ｄを通ってグラウンドに流れる電流）を流し続けようと動作する。しかし、スイッチ２ＤがＯＮ状態からＯＦＦ状態となるので、補助電流供給回路３Ｂは誘導起電力（以下、第２の誘導電圧と記す）を発生する。
【００６８】
スイッチ２ＤがＯＮ状態にある場合には、磁気ヘッド１の一端１０Ｂと補助電流供給回路３Ｂのスイッチ２Ｄ側の端子とは、いずれもスイッチ２Ｄを通って接地されているので、該磁気ヘッド１をＡ方向に流れる電流と、補助電流供給回路３Ｂからスイッチ２Ｄを通って接地される電流とは、スイッチ２Ｄの許容電流値の範囲内では相互に干渉することなく流れる。
【００６９】
しかし、スイッチ２ＤがＯＦＦ状態になると、磁気ヘッド１に発生した第１の誘導起電力と補助電流供給回路３Ｂに発生した第２の誘導起電力とは、相互に逆向きの起電力として、スイッチ２Ｄと磁気ヘッド１と補助電流供給回路３Ｂとの接続点１０Ｂに働く。補助電流供給回路３Ｂのインダクタンスは磁気ヘッド１のインダクタンスより大きいので、第２の誘導起電力は、第１の誘導起電力よりも大きい。
【００７０】
その結果、磁気ヘッド１をＡ方向に流れていた電流は急激に立ち下がり、磁気ヘッド１をＢ方向に流れる電流は急激に立ち上がる。
【００７１】
一方、スイッチ２Ｃの切り替えで補助電流供給回路３Ａをグラウンドに接続する電流パスができると、補助電流供給回路３Ａにはこの電流パスに電流を流さない方向の誘導起電力（以下、第３の誘導起電力と記す）が発生する。この起電力は、磁気ヘッド１に生じる第１の誘導起電力と逆方向を向いていて第１の誘導起電力を打ち消すように働く。したがって、磁気ヘッド１をＡ方向に流れていた電流は、急激に立ち下がる。
【００７２】
このようにして、スイッチ切り替えによって補助電流供給回路３Ａと補助電流供給回路３Ｂに発生する誘導起電力によって、磁気ヘッド１を流れる電流をＡ方向からＢ方向に急速に反転することができる。
【００７３】
このように、本実施形態においては、スイッチ切り替えの過渡状態において、電流の切り替えを、補助電流供給回路３Ａと補助電流供給回路３Ｂに発生する誘導起電力によって促進する。
【００７４】
磁気ヘッド１の電流切り替えを電源からの出力電流の切り替えのみで行う場合には、磁気ヘッドに生じる誘導起電力のために、電流の急速反転ができない。その結果、図６に示した従来例のように、電流切り替えの周期は１ＭＨＺ以下であるのが一般である。本実施形態においては、補助電流供給回路に生じる誘導起電力によって磁気ヘッド１の電流切り替えを行うので、高速の電流切り替えを達成することができる。
【００７５】
磁気ヘッド１の電流が反転すると、それに引き続いて、ブリッジ回路に接続されている電源電圧ＶＣＣから、抵抗器６Ｂ、スイッチ２Ｂ、磁気ヘッド１、スイッチ２Ｃの順に、図中Ｂの方向に磁気ヘッド電流が流れる。また、電源電圧ＶＤＤから、電源供給スイッチ７、抵抗器５Ｂ並びに補助電流供給回路３Ｂを経由して、図１のＢの方向に磁気ヘッド電流が引き続き供給される。さらには、電源電圧ＶＤＤから、電源供給スイッチ７、抵抗器５Ａおよび補助電流供給回路３Ａを流れる電流は、磁気ヘッド１に流れ込むことなく、スイッチ２Ｃへと流れる。
【００７６】
このように、本実施形態においては、電源供給スイッチ７をＯＮ状態にすることによって、電源電圧ＶＤＤを補助電流供給回路３Ａおよび３Ｂに接続し、該電源電圧ＶＤＤから、定常的に磁気ヘッド１や補助電流供給回路３Ａおよび３Ｂに流れ込む電流を供給すると共に、補助電流供給回路３Ａおよび３Ｂにコイルを用い、磁気ヘッド１よりも十分に大きなインダクタンスに設定することによって、磁気ヘッド１の電流反転時には電流を高速に切り替えることができるものとなっている。
【００７７】
２）低速記録動作の場合
次に、広く普及しているＭＤ装置のように、記録速度が極めて低速な場合について説明する。
【００７８】
図示しないＣＰＵ等により、光磁気ディスクへの記録速度が低速な低速記録モードが選択されると、電源供給スイッチ７がＯＦＦ状態とされて、補助電流供給回路３Ａおよび３Ｂと電源電圧ＶＤＤとが遮断される。
【００７９】
次に、２対のスイッチ２Ａ、２Ｂ、２Ｃ、２Ｄが、それぞれ、制御信号４Ａ、４Ｂ、４Ｃ、４Ｄにより、ＯＮ／ＯＦＦ制御される。ここで、制御信号４Ａおよび４Ｄが論理１、制御信号４Ｂおよび４Ｃが論理０になっているとすると、これら制御信号に対応するスイッチ２Ａおよび２ＤがＯＮ、スイッチ２Ｂおよび２ＣがＯＦＦになる。この時、ブリッジ回路に接続されている電源電圧ＶＣＣから、抵抗器６Ａ、スイッチ２Ａ、磁気ヘッド１、スイッチ２Ｄの順に、図中Ａの方向に磁気ヘッド電流が流れる。また、電源電圧ＶＤＤは、電源供給スイッチ７によって遮断されるので、電流制限抵抗５Ａおよび補助電流供給回路３Ａからも、抵抗器５Ｂおよび補助電流供給回路３Ｂからも、磁気ヘッド１およびスイッチ２Ｃ、２Ｄに流れ込むことはない。
【００８０】
次に、制御信号４Ａおよび４Ｄが論理０、制御信号４Ｂおよび４Ｃが論理１に切り替わると、これら制御信号に対応するスイッチ２Ａおよび２ＤがＯＦＦ、２Ｂおよび２ＣがＯＮになる。磁気ヘッド１はインダクタンスであるので、このスイッチ切り替え時には、それまでに流れていた電流方向、この場合は図中Ａの方向に電流を流し続けようとする誘導起電力（第１の誘導起電力）が発生する。スイッチ２ＤがＯＮ状態からＯＦＦ状態になり、スイッチ２ＢがＯＦＦ状態からＯＮ状態になったとき、接続点１０Ｂには第１の誘導起電力と、電流制限抵抗６Ｂを介して電源電圧ＶＣＣとが加わる。この第１の誘導起電力のために、電源ＶＣＣから磁気ヘッド１に供給される電流の立ち上げは遅くなる。しかし、第１の誘導起電力の緩和時間が経過すると、電源ＶＣＣから電流制限抵抗６Ｂ、スイッチ２Ｂ、接続点１０Ｂ、磁気ヘッド１を通って、ＯＮ状態に切り替えられたスイッチ２Ｃを介して接地された接続点１０Ａに向かって電流が流れ始める。
このようにして、磁気ヘッド１の電流方向が、図中Ａの方向からＢの方向に反転される。
【００８１】
磁気ヘッド１の電流が反転されると、ブリッジ回路の電源電圧ＶＣＣから、電流制限抵抗６Ｂ、スイッチ２Ｂ、磁気ヘッド１、スイッチ２Ｃの順に、図中Ｂの方向に磁気ヘッド電流が定常的に流れる。また、電源電圧ＶＤＤは、電源供給スイッチ７により遮断されているので、電流制限抵抗５Ｂおよび補助電流供給回路３Ｂから、磁気ヘッド１およびスイッチ２Ｃに電流が流れ込むことはない。
【００８２】
このように、本実施形態においては、電源供給スイッチ７をＯＦＦとすることにより、補助電流供給回路３Ａおよび３Ｂを電源ＶＤＤから遮断して該電源電圧ＶＤＤから磁気ヘッド１や補助電流供給回路３Ａおよび３Ｂ、およびスイッチ２Ｃ、２Ｄに流れ込む電流を遮断すると共に、スイッチ２Ａ、２Ｂ、２Ｃおよび２Ｄによって、該磁気ヘッド１の電流方向を切り替えるので、不要な電流消費・電力消費（電源ＶＤＤから供給される電力の消費）を低減することができる。
３）高速動作の変形例
前掲の高速動作の場合においては、補助電流供給回路３Ａ、３Ｂとして、磁気ヘッド１のインダクタンスよりも大きいインダクタンスを有するコイルを使用したが、該コイルの代替え手段としてダイオードを用いることも可能である。
【００８３】
図４は、図１の補助電流供給回路３Ａ、３Ｂとしてダイオード３ａ、３ｂを用いた場合の構成図である。
【００８４】
補助電流供給回路３Ａ、３Ｂをコイルからダイオードに置き換える場合には、第１のダイオード３ａは、電流制限抵抗５Ａと接続点１０Ａとの間に接続され、このとき、第１のダイオード３ａのアノードが電流制限抵抗５Ａに接続される。また、第２のダイオード３ｂは抵抗器５Ｂと接続点１０Ｂとの間に接続され、このとき、第２のダイオード３ｂのアノードが抵抗器５Ｂに接続される。したがって、電源ＶＤＤから供給される電流は、抵抗器５Ａ、第１のダイオード３ａを通って磁気ヘッド１に流れ、または、抵抗器５Ｂ、第２のダイオード３ｂを通って磁気ヘッド１に流れる。
【００８５】
上記のように変更した場合の動作は以下の様になる。図示しないＣＰＵ等により、光磁気ディスクへの記録が高速記録モードに選択されると、電源供給スイッチ７がＯＮ状態にされて、補助電流供給回路３Ａおよび３Ｂに電源電圧ＶＤＤが供給される。
【００８６】
次に、２対のスイッチ２Ａ、２Ｂ、２Ｃおよび２Ｄが、制御信号４Ａ、４Ｂ、４Ｃおよび４Ｄによって、それぞれスイッチＯＮまたはスイッチＯＦＦされる。ここで、制御信号４Ａおよび４Ｄが論理１、制御信号４Ｂおよび４Ｃが論理０になっているとすると、これら制御信号に対応するスイッチ２Ａおよび２ＤがＯＮ、２スイッチＢおよび２ＣがＯＦＦとなる。この時、ブリッジ回路に接続されている電源電圧ＶＣＣから、抵抗器６Ａ、スイッチ２Ａ、磁気ヘッド１、スイッチ２Ｄの順に、図中Ａの方向に磁気ヘッド電流が流れる。また、電源ＶＤＤから電源供給スイッチ７、抵抗器５Ａおよびダイオード３ａを通って、図中Ａの方向に磁気ヘッド電流が供給される。さらに、電源ＶＤＤから、電源供給スイッチ７、抵抗器５Ｂおよび第２のダイオード３ｂを通って、スイッチ２Ｄへ電流が流れる。しかし、この電流は、磁気ヘッド１に流れ込むことなく、接地端子に流れる。
【００８７】
次に、制御信号４Ａおよび４Ｄが論理０、制御信号４Ｂおよび４Ｃが論理１に切り替わると、これら制御信号に対応するスイッチ２Ａおよび２ＤがＯＦＦ、スイッチ２Ｂおよび２ＣがＯＮになる。このスイッチ切り替え時、磁気ヘッド１はインダクタンスであるので、磁気ヘッド１にはそれまでに流れていた電流方向、この場合は図中Ａの方向に電流を流し続けようする第１の誘導起電力が発生する。
【００８８】
抵抗器５Ｂ、第２のダイオード３ｂ、磁気ヘッド１およびスイッチ２Ｃによって構成される電流パス（以下、第２の補助電流パスと記す）において、磁気ヘッド１に発生した第１の誘導起電力によって第２のダイオード３ｂは逆バイアスされるので、第２の補助電流パスは遮断状態になる。さらに、抵抗器６Ｂ、スイッチ２Ｂを経由する電流パス（以下、第２の電流パスと記す）と磁気ヘッド１およびスイッチ２Ｃとによって構成される電流回路においても、磁気ヘッド１に発生した第１の誘導起電力によって、スイッチはＦＥＴで構成されているものとするとスイッチ２Ｂのゲート・ソース間電圧が低下するので、スイッチの切り替え直後の、第１の誘導起電力が充分大きい期間には、第２の電流パスも遮断状態になる。
【００８９】
上記のような状態で、第１の誘導起電力の緩和時間が経過して第１の誘導起電力が低下すると、第２のダイオードが順バイアスされ、スイッチ２ＢもＯＮ状態を回復する。その結果、磁気ヘッド１には、第２の電流パスと第２の補助電流パスとの両者から電流が供給される。このようにして、磁気ヘッド１の電流方向が、図中Ａの方向からＢの方向に反転する。磁気ヘッド１の電流が反転されると、ブリッジ回路に接続されている電源電圧ＶＣＣから、第２の電流パスを経由して、図中Ｂの方向に磁気ヘッド電流が定常的に流れる。また、第２の補助電流パスからも、図中Ｂの方向に磁気ヘッド電流として定常電流が供給される。さらには、電源ＶＤＤから、電源供給スイッチ７、抵抗器５Ａおよび第１のダイオード３ａを経由する電流パス（以下、第１の補助電流パスと記す）を流れる電流は、磁気ヘッド１に流れ込むことなく、スイッチ２Ｃへと流れる。このとき、電源ＶＣＣから抵抗器６Ａおよびスイッチ２Ａを経由する電流パス（第１の電流パスと記す）は遮断される。
【００９０】
なお、該補助電流供給回路としてダイオードを用いる場合において、光磁気ディスクへの記録速度として低速なモードが選択されて電源供給スイッチ７をＯＦＦとした時の動作は、該補助電流供給回路にコイルを用いる場合と同等であるので、説明は省略する。
【００９１】
上記本発明の説明においては、ただ一つの磁気ヘッドドライブ回路で、記録速度が異なる光磁気ディスクに対応可能であることを示したが、以下の様な応用も十分に可能である。
【００９２】
その一例としては、光磁気ディスクの記録モードとして、通常モードと省エネモードを設け、通常モードの動作状態においては、上記高速動作で磁気ヘッドドライブ回路を駆動するものであり、また省エネモード、例えばバッテリー動作状態においては、装置システム全体の動作速度を遅くすると共に上記低速動作で磁気ヘッドドライブ回路を駆動することによって、バッテリーの負荷を軽減することも可能である。
【００９３】
さらに別の例としては、光磁気ディスクの記録モードとして、通常モードと低品質モードを設け、通常モードの動作状態においては、上記高速動作で磁気ヘッドドライブ回路を駆動し、また低品質モード、例えば音楽の記録時において記録するデータを間引くと共に上記低速動作で磁気ヘッドドライブ回路を駆動することによって、装置システムの消費電力を軽減することも可能である。
【００９４】
次に、本発明による磁気ヘッドドライブ回路の第２の実施形態について説明する。
【００９５】
図２は、本実施形態の磁気ヘッドドライブ回路の回路図である。
【００９６】
図２において第１の実施形態と同一の部品には同一番号で記し、説明は省略する。
【００９７】
定電流源８Ａは、補助電流供給回路３Ａおよび３Ｂに定電流を供給する。図示されていない情報処理装置から出力される電流値制御信号９Ａにより、その電流値が設定される。
【００９８】
定電流源８Ｂは、スイッチ２Ａ、２Ｂ、２Ｃおよび２Ｄで構成されるブリッジ回路に定電流を供給する。図示されていない情報処理装置から出力される電流値制御信号９Ｂにより、その電流値が設定される。
【００９９】
また、定電流源８Ａの代替手段として、補助電流供給回路３Ａおよび３Ｂに接続される電源ＶＤＤを、図示されていない情報処理装置から出力される信号によって制御する可変電圧源で構成することも可能である。この可変電圧源としては、例えばＤＣ−ＤＣコンバータや、ＰＷＭドライバを使用することができる。
【０１００】
定電流源８Ａの代替として可変電圧源を使用する場合には、補助電流供給回路３Ａおよび３Ｂに供給される電流は、可変電圧源８Ａが供給する電圧と、補助電流供給回路３Ａまたは３Ｂを含むドライブ回路の動作時インピーダンスで概ね決定される。定電流源８Ｂの代替え手段も同様であり、定電流源８Ｂを該可変電圧源で代替えする場合には、該スイッチ２Ａ、２Ｂ、２Ｃ、２Ｄのそれぞれに供給される電流は、可変電圧源８Ｂが供給する電圧と、スイッチ２Ａ、２Ｂ、２Ｃおよび２Ｄで構成されるブリッジ回路を含む回路の動作時インピーダンスで概ね決定される。
【０１０１】
以下、本実施形態の動作について詳細に説明する。
【０１０２】
本実施形態の回路の特徴とするところは、光磁気ディスクの記録速度に応じて、該光磁気ディスクに外部磁界を印可する磁気ヘッドおよび磁気ヘッドドライブ回路に最適な動作を提供することである。
【０１０３】
１）高速記録動作の場合
先ず、超解像技術や磁壁移動技術が用いられる光磁気ディスク装置のように、記録速度が極めて高速な場合について説明する。
【０１０４】
図示されていない情報処理装置により、光磁気ディスクへの記録速度が高速なモードが選択されると、電流値制御信号９Ａにより、定電流源８Ａが補助電流供給回路３Ａおよび３Ｂに供給する電流値が決定される。このとき、定電流源８Ａが、補助電流供給回路３Ａおよび３Ｂに供給する電流値に概ね比例して、磁気ヘッド１の電流反転時間が決定される。このため、定電流源８Ａの電流値は、光磁気ディスクへの記録速度に応じて制御され、記録速度が高速なモードにおいては、十分大きな電流値に設定される。
【０１０５】
また、同時に、電流値制御信号９Ｂにより、定電流源８Ｂがスイッチ２Ａ、２Ｂ、２Ｃおよび２Ｄで構成されるブリッジ回路に供給する電流値が決定される。このとき、定電流源８Ｂが、スイッチ２Ａ、２Ｂ、２Ｃおよび２Ｄで構成されるブリッジ回路に供給する電流値に概ね比例して、磁気ヘッド１の電流振幅が決定される。したがって、定電流源８Ａの場合と異なり、必ずしも光磁気ディスクへの記録速度に応じて、定電流源８Ｂの電流値が制御されるのではない。また、定電流源８Ｂの電流値が、磁気ヘッド１の電流振幅を概ね決定するので、磁気ヘッド１で記録を行う光磁気ディスクの記録磁界感度に合わせて定電流源８Ｂの電流値を制御することができる。
【０１０６】
次に、２対のスイッチ２Ａ、２Ｂ、２Ｃおよび２Ｄが、それぞれ制御信号４Ａ、４Ｂ、４Ｃおよび４ＤによってＯＮ／ＯＦＦ制御される。ここで、制御信号４Ａおよび４Ｄが論理１、制御信号４Ｂおよび４Ｃが論理０になっているとすると、これら制御信号に対応するスイッチ２Ａおよび２ＤがＯＮ、スイッチ２Ｂおよび２ＣがＯＦＦになる。このとき、ブリッジ回路が接続される電源ＶＣＣから、定電流源８Ｂ、スイッチ２Ａ、磁気ヘッド１、スイッチ２Ｄの順に、図中Ａの方向に磁気ヘッド電流が流れる。また、電源ＶＤＤ、定電流源８Ａ、および補助電流供給回路３Ａからも、図中Ａの方向に磁気ヘッド電流が供給される。さらには、電源電圧ＶＤＤ、定電流源８Ａ、および補助電流供給回路３Ｂを流れる電流は、磁気ヘッド１に流れ込むことなく、スイッチ２Ｄへと流れる。
【０１０７】
次に、制御信号４Ａおよび４Ｄが論理０、制御信号４Ｂおよび４Ｃが論理１に切り替わると、これら制御信号に対応するスイッチ２Ａおよび２ＤがＯＦＦ、スイッチ２Ｂおよび２ＣがＯＮになる。磁気ヘッド１はインダクタンスであるので、このスイッチ切り替え時に、それまでに流れていた電流方向、この場合は図中Ａの方向に電流を流し続けようとする誘導起電力（第１の誘導起電力）が磁気ヘッド１に発生する。
【０１０８】
また、同時に、該磁気ヘッド１の一端１０Ｂに設けられた補助電流供給回路３Ｂもインダクタンスであるので、補助電流供給回路３Ｂには、それまでに流れていた電流を流し続けようとする誘導起電力（第２の誘導起電力）が発生する。しかし、スイッチ２ＤがＯＮ状態からＯＦＦ状態となるので、第１、第２の誘導起電力は、相互に逆向きに働く。上述した第１の実施形態と同様に、補助電流供給回路３Ｂのインダクタンスは、磁気ヘッド１のインダクタンスよりも大きく設定されているので、第２の誘導起電力は、第１の誘導起電力よりも大きくなる。その結果、磁気ヘッド１のＡ方向の電流は急激に立ち下がり、Ｂ方向の電流が急激に立ち上がる。
【０１０９】
一方、スイッチ切り替え前には補助電流供給回路３Ａを通り、磁気ヘッド１をＡ方向に流れて、磁気ヘッド１に磁化エネルギーを与えていた電流は、スイッチ切り替え後には、スイッチ２Ｃを介して接地端子に接続される。その結果、補助電流供給回路３Ａには電流を流さないように作用する誘導起電力（第３の誘導起電力）が発生する。この第３の誘導起電力によって、スイッチ切り替え前には、補助電流供給回路３Ａを通り、磁気ヘッド１をＡ方向に流れていた電流は、急激に減衰する。
【０１１０】
磁気ヘッド１の電流が反転されると、ブリッジ回路に接続されている電源ＶＣＣから、定電流源８Ｂ、スイッチ２Ｂ、磁気ヘッド１、スイッチ２Ｃの順に、図中Ｂの方向に磁気ヘッド電流が引き続いて定常的に流れる。また、電源電圧ＶＤＤ、定電流源８Ａ、並びに補助電流供給回路３Ｂからも、図中Ｂの方向に磁気ヘッド電流として引き続き定常的に供給さる。さらには、電源電圧ＶＤＤ、定電流源８Ｂ、および補助電流供給回路３Ａを流れる電流は、磁気ヘッド１に流れ込むことなく、スイッチ２Ｃへと流れる。
【０１１１】
上記のように、本実施形態においては、定電流源８Ａから補助電流供給回路３Ａおよび３Ｂに記録速度に応じた定電流を供給すると共に、補助電流供給回路３Ａおよび３Ｂにコイルを用い、磁気ヘッド１よりも十分に大きなインダクタンスに設定することによって、磁気ヘッド１に流れる電流を高速に切り替えることができる。
【０１１２】
２）低速記録動作の場合
次に、広く普及しているＭＤ装置のように、記録速度が極めて低速な場合について説明する。
【０１１３】
図示されていない情報処理装置によって、光磁気ディスクへの記録速度が低速なモードが選択されると、電流値制御信号９Ａにより、定電流源８Ａが補助電流供給回路３Ａおよび３Ｂに供給する電流値が決定される。また、定電流源８Ａが、補助電流供給回路３Ａおよび３Ｂに供給する電流値に概ね比例して、磁気ヘッド１の電流反転時間が決定され、光磁気ディスクへの記録速度に応じて定電流源８Ａの電流値が制御される。このとき、定電流源８Ａの電流値は、上述した高速動作の場合に比べて明らかに小さくなる。また、光磁気ディスクへの記録速度にもよるが、記録速度が十分に低速である場合には、定電流源８Ａの電流値がゼロであってもよい。
【０１１４】
同時に、電流値制御信号９Ｂにより、定電流源８Ｂからスイッチ２Ａ、２Ｂ、２Ｃおよび２Ｄで構成されるブリッジ回路に供給される電流値が決定される。また、定電流源８Ｂが、スイッチ２Ａ、２Ｂ、２Ｃおよび２Ｄで構成されるブリッジ回路に供給する電流値に概ね比例して、磁気ヘッド１の電流振幅が決定される。したがって、定電流源８Ａの場合と異なり、必ずしも光磁気ディスクへの記録速度に応じて、定電流源８Ｂの電流値が制御されるものではない。また、高速動作の場合と同様に定電流源８Ｂの電流値が、磁気ヘッド１の電流振幅を概ね決定するので、磁気ヘッド１で記録を行う光磁気ディスクの記録磁界感度に合わせて定電流源８Ｂの電流値を制御することができる。
【０１１５】
次に、２対のスイッチ２Ａ、２Ｂ、２Ｃおよび２Ｄが、それぞれ制御信号４Ａ、４Ｂ、４Ｃおよび４ＤによってＯＮ／ＯＦＦ制御される。ここで、制御信号４Ａおよび４Ｄが論理１、制御信号４Ｂおよび４Ｃが論理０になっているとすると、これら制御信号に対応するスイッチ２Ａおよび２ＤがＯＮ、スイッチ２Ｂおよび２ＣがＯＦＦになる。この時、ブリッジ回路に接続される電源電圧ＶＣＣから、定電流源８Ｂ、スイッチ２Ａ、磁気ヘッド１、スイッチ２Ｄの順に、図中Ａの方向に磁気ヘッド電流が流れる。また、該光磁気ディスクの記録速度にもよっては、電源ＶＤＤから、定電流源８Ａ、および補助電流供給回路３Ａを経由して、図中Ａの方向に磁気ヘッド電流が供給される。
【０１１６】
一方、電源ＶＤＤから、定電流源８Ａ、および補助電流供給回路３Ｂ経由で電流を流す場合には、磁気ヘッド１に流れ込むことなく、スイッチ２Ｄへと流れる。このとき、補助電流供給回路３Ａまたは３Ｂから供給される電流値は、上述した高速動作時に比べて小さく設定される。
【０１１７】
次に、制御信号４Ａおよび４Ｄが論理０、制御信号４Ｂおよび４Ｃが論理１に切り替わると、これら制御信号に対応するスイッチ２Ａおよび２ＤがＯＦＦ、スイッチ２Ｂおよび２ＣがＯＮになる。磁気ヘッド１はインダクタンスであるので、このスイッチ切り替え時には、それまでに流れていた電流方向、この場合は図中Ａの方向に電流を流し続けようとする第１の誘導起電力が発生する。また同時に、該磁気ヘッド１の一端に設けられた補助電流供給回路３Ｂもインダクタンスであるので、補助電流供給回路３Ｂは、それまでに定電流源８Ａから流れていた電流を流し続けようとする第２の誘導起電力を発生する。しかし、スイッチ２ＤがＯＮ状態からＯＦＦ状態となっているので、第１の誘導起電力と第２の誘導起電力とは相互に逆向きになる。
【０１１８】
しかし、低速記録動作の場合には、補助電流供給回路３Ｂを流れる電流が小さく設定されているので、第２の誘導起電力は、高速動作の場合に比較して小さい。したがって、第２の誘導起電力は、磁気ヘッド１中をＡ方向に流れる電流の立ち下げとＢ方向に流れる電流の立ち上げに対しては、大きな寄与を与えない。
【０１１９】
この場合には、極端な場合として次の２つの場合がある。
【０１２０】
ａ）第２の誘導起電力が第１の誘導起電力よりも大きい場合、
ｂ）第２の誘導起電力が第１の誘導起電力よりも非常に小さい場合
ａ）の場合には、上述した高速動作の場合と同様な過程で磁気ヘッド１中をＡ方向に流れる電流は減衰し、Ｂ方向に流れる電流は立ち上がる。しかし、この場合には、第２の誘導起電力は、第１の誘導起電力に比較して高速動作時ほど大きくないので、結果的に、該磁気ヘッド１の電流反転時間が低速になる。
【０１２１】
ｂ）の場合には、第２の誘導起電力は、磁気ヘッド１中をＡ方向に流れる電流の立ち下げと、Ｂ方向に流れる電流は立ち上げには関係しない。この場合には、第１の誘導起電力の緩和時間が経過して、第１の誘導起電力が電源ＶＣＣの電圧よりも小さくなったとき、電源ＶＣＣからスイッチ２Ｂを経由してＢ方向の磁気ヘッド電流が立ち上がる。
【０１２２】
上記のａ）の場合とｂ）の場合の中間の場合には、両方の過程が現れる。
【０１２３】
上記のようにして、磁気ヘッド１の電流が反転なされると、ブリッジ回路に接続されている電源ＶＣＣから、定電流源８Ｂ、スイッチ２Ｂ、磁気ヘッド１、スイッチ２Ｃの順に、図中Ｂの方向に磁気ヘッド電流が、電流切り替え時の過渡状態に引き続いて定常的に流れる。また、電源電圧ＶＤＤから、定電流源８Ａ、並びに補助電流供給回路３Ｂ経由で図中Ｂの方向に磁気ヘッド電流が引き続いて定常的に供給される。さらには、電源ＶＤＤから、定電流源８Ｂ、および補助電流供給回路３Ａを流れる電流は、磁気ヘッド１に流れ込むことなく、スイッチ２Ｃを通って接地端子へ流れる。
【０１２４】
図３は図１に示した実施形態の動作を説明するタイミングチャートである。
【０１２５】
図３において、電源供給スイッチ７がＯＮのときは、磁気ヘッドの高速動作時（図面左側）で、電源供給スイッチ７がＯＦＦのときは、磁気ヘッドの低速動作時（図面右側）である。前記したように、低速動作時には２対のスイッチによって構成されるブリッジ回路のＯＮ／ＯＦＦ制御のみによって磁気ヘッドの電流切り替えが行われる。
【０１２６】
制御信号４Ａ、４Ｂ、４Ｃおよび４Ｄのハイレベル（論理１）は、それぞれ対応するスイッチ２Ａ、２Ｂ、２Ｃおよび２ＤのＯＮに対応し、ロウレベル（論理０）は、それぞれ対応するスイッチ２Ａ、２Ｂ、２Ｃおよび２ＤのＯＦＦに対応する。したがって、制御信号４Ａおよび４Ｄがハイレベル、制御信号４Ｂおよび４Ｃがロウレベルのとき、磁気ヘッド１にはＡ方向の電流が流れる。逆に、制御信号４Ａおよび４Ｄがロウレベル、制御信号４Ｂおよび４Ｃがハイレベルのとき、磁気ヘッド１にはＢ方向の電流が流れる。
【０１２７】
したがって、制御信号４Ａおよび４Ｄが立ち上がり、制御信号４Ｂおよび４Ｃが立ち下がるタイミングで、磁気ヘッド電流はＢ方向からＡ方向に切り替わる。このとき、スイッチ２Ｃは、ＯＮからＯＦＦに切り替わるので、補助電流供給回路３Ａには、その切り替え前の電流を維持しようとする誘導起電力（第２の誘導起電力）が発生する。この誘導起電力によって、接続点１０Ａの電位は鋭く立ち上がる（図３、接続点１０Ａの電位曲線参照）。この電位の立ち上がりによってＡ方向の磁気ヘッド電流は鋭く立ち上がる（図３、磁気ヘッド電流曲線参照）。
【０１２８】
この第２の誘導起電力の緩和後、それに引き続いて電源ＶＣＣ、および電源ＶＤＤから供給される定常電流が磁気ヘッドを流れる。この定常電流は、図３の接続点１０Ａの電位曲線において、誘導起電力によって生じた過渡的電位の緩和後、それに引き続く平坦（横軸に平行）な曲線として表されている。なお、この曲線において、さらにこの平坦な曲線に続く低レベルの平坦部分は、ＶＤＤから補助電流供給回路３Ａ経由でスイッチ２Ｃに流れ込む電流とＢ方向の電流とがスイッチ２Ｃのオン抵抗によって生成する電圧である。
【０１２９】
接続点１０Ｂの電位曲線も、接続点１０Ａの電位曲線と同様の理由によって同様に変化するので、説明を省略する。
【０１３０】
図３の右側に描かれている低速記録動作についても、制御信号４Ａ、４Ｂ、４Ｃおよび４Ｄの論理レベルとスイッチ２Ａ、２Ｂ、２Ｃおよび２ＤのＯＮ／ＯＦＦとの関係は、高速動作の場合と同様である。
【０１３１】
しかし、この場合には、電源供給スイッチ７がＯＦＦであるので、補助電流供給回路３Ａ、３Ｂは記録動作に寄与しない。したがって、高速動作時に接続点１０Ａ、１０Ｂにおける電位曲線に見られるような高く急峻な電圧は現れない。
【０１３２】
低速記録動作時における磁気ヘッドドライブ回路の動作を、磁気ヘッド電流がＢ方向からＡ方向に切り替わる場合について説明する。
【０１３３】
スイッチ２Ｂ、２ＣがＯＮからＯＦＦに切り替わり、スイッチ２Ａ、２ＤがＯＦＦからＯＮに切り替わる。磁気ヘッド電流がＢ方向からＡ方向に切り替わるとき、すなわち、制御信号４Ａ、４Ｄの立ち上げ時には、磁気ヘッド電流をＢ方向流し続けようとする誘導起電力（第１の誘導起電力）が発生する。
【０１３４】
上記の誘導起電力によって、接続点１０Ａの電位は鋭く立ち上がる。しかし、磁気ヘッドのインダクタンスは小さいので、その電位曲線のピーク値は、高速動作の場合に比較して低い。
【０１３５】
立ち上がった電位は、電流をＢ方向に流すように働く誘導起電力によって生成された電位であるから、Ａ方向の電流を阻止するように働く。その結果、スイッチの切り替え時には、Ａ方向の磁気ヘッド電流は、この立ち上がった電位に阻止されて緩やかに立ち上がる。図３の、低速記録動作時における磁気ヘッド電流曲線は電流値の緩やかな立ち上がりを示している。同様なことが、磁気ヘッド電流がＡ方向からＢ方向に切り替わるときにも生じる。
【０１３６】
上記のように、補助電流供給回路３Ａおよび３Ｂにコイルを用い、そのインダクタンスを磁気ヘッド１よりも十分に大きく設定すると共に、定電流源８Ａから補助電流供給回路３Ａおよび３Ｂに、記録速度に応じて高速動作時に比べて小さい定電流を供給することによって、磁気ヘッド１に流れる電流を低速記録動作に適応するように切り替えることができる。このように、定電流源８Ａから補助電流供給回路３Ａおよび３Ｂに高速動作時に比べて小さい、記録速度に応じた定電流を供給することによって、不要な電流消費・電力消費を低減することができる。
【０１３７】
なお、本発明の第２の実施形態の説明において、補助電流供給回路として、磁気ヘッド１のインダクタンスよりも大きなインダクタンスを有するコイルを用いたが、第１の実施形態において説明したのと同様に、該コイルの代替え手段としてはダイオードを用いることも可能である。
【０１３８】
図５は、補助電流供給回路３Ａおよび３Ｂとしてダイオード３ａ’、３ｂ’を用いた場合の構成図である。
【０１３９】
図５に示すドライブ回路におけるダイオード３ａ’、３ｂ’の動作は、図４に示したダイオード３ａ、３ｂと同様であるので説明を省略する。
【０１４０】
図２に示した本発明の第２実施形態の説明においては、ただ一つの磁気ヘッドドライブ回路で、記録速度が異なる光磁気ディスクに対応可能であることを示したが、以下の様な応用も十分に可能である。
【０１４１】
その一例としては、光磁気ディスクの記録モードとして、通常モードと省エネモードを設け、通常モードの動作状態においては、上記高速動作で磁気ヘッドドライブ回路を駆動し、また省エネモード、例えばバッテリー動作状態においては、装置システム全体の動作速度を遅くすると共に上記低速動作で磁気ヘッドドライブ回路を駆動することによって、バッテリーの負荷を軽減することが可能である。
【０１４２】
さらに別の例としては、光磁気ディスクの記録モードとして、通常モードと低品質モードを設け、通常モードの動作状態においては、前掲の高速動作で磁気ヘッドドライブ回路を駆動し、また低品質モードの動作状態においては、例えば音楽の記録時において記録するデータを間引くと共に前掲の低速動作で磁気ヘッドドライブ回路を駆動することによって、装置システムの消費電力を軽減することも可能である。
【０１４３】
またさらに他の応用例としては、ＺＣＡＶ（ゾーン定角速度）方式が適用される光磁気ディスクにおいて該磁気ヘッドドライブ回路を最適に駆動する例がある。ＺＣＡＶ方式においては、光磁気ディスクを一定角速度で回転するので、半径毎に複数のゾーンに区切り、該ゾーン毎に最大記録密度を実現するように、記録再生速度を切り替える。換言すれば、ＺＣＡＶ方式においては、一般的にディスク半径に比例して記録再生速度が高速になり、その速度格差は２倍から４倍程度になる。このような光磁気ディスク装置においては、本発明の第２実施形態に示されている磁気ヘッドドライブ回路を用いることができる。例えば１０ゾーンに分けられた光磁気ディスクの、１０個の異なる記録速度に最適になるように、定電流源８Ａおよび８Ｂを制御することによって、補助電流供給回路３Ａおよび３Ｂに記録速度に応じた定電流を供給する。それによって、不要な電流消費および電力消費を低減することが可能である。
【０１４４】
上記の説明においては、光磁気ディスクへの記録速度に応じて、本発明の磁気ヘッドドライブ回路を最適に駆動することに関して説明したが、本発明の第２の実施形態によれば以下のようなことも容易に実現可能である。
【０１４５】
記録磁界感度の補償
例えば、光磁気ディスク及び光磁気ディスク装置を長期間使用すると、光磁気ディスクの磁性膜の劣化や、塵等の付着により記録磁界感度が低下することがある。また、光磁気ディスクの製造工程によっては記録磁界感度のあまり良くないものが製造されることがある。
【０１４６】
上記のような場合には、磁気ヘッド電流を大きくして光磁気ディスクの記録磁区の磁化を強くする。そのために、スイッチ２Ａ、２Ｂ、２Ｃおよび２Ｄで構成されるブリッジ回路を通って定電流源８Ｂから磁気ヘッド１に供給される電流値を増加させて磁気ヘッド電流の振幅を大きくする。
【０１４７】
そのとき、定電流源８Ａから補助電流供給回路を通って磁気ヘッド１に供給する電流値を減少させ、その減少分だけ、ブリッジ回路を通って定電流源８Ｂから磁気ヘッド１に供給される電流値を増加させる。
【０１４８】
このようにすることによって、磁気ヘッド１の記録動作速度は遅くなるけれど、全体の消費電力を増加させないで済むという利点がある。
【０１４９】
このようにして、記録磁界感度のあまり良くない光磁気ディスクに対しても、全体の消費電力を増加させることなく、磁気ヘッドの記録動作速度を遅くすることによって記録磁界感度を補償することができる。
【０１５０】
磁気ヘッドの補償
本実施形態の他の応用例として、複数種類の磁気ヘッドの、インダクタンスが異なる場合において、それぞれの磁気ヘッドのインダクタンスに応じて、定電流源８Ａを多段階に制御することによって、複数種類の磁気ヘッド１について同じ電流反転時間と動作速度を実現する。このようにして、複数種類の磁気ヘッドの、インダクタンスの相違に基づく電流反転時間と動作速度の相違を補償することができる。
【０１５１】
以上説明した本発明の実施形態は、光磁気ディスク装置に組み込まれて効果を奏するものであり、本発明は、各実施形態が組み込まれた光磁気ディスク装置を含むものである。
【０１５２】
【発明の効果】
以上説明したように、本発明の第１の磁気ヘッドドライブ回路によれば、記録速度が高速である場合には、電源供給スイッチをＯＮ状態にして補助電流供給回路に電源を供給することによって、該補助電流供給回路を用いて、磁気ヘッドに流れる電流の高速の反転を実現することができる。
【０１５３】
また、記録速度が低速である場合には、電源供給スイッチをＯＦＦ状態にして補助電流供給回路を電源電圧から遮断することによって、磁気ヘッドに流れる電流の低速の反転を実現することができる。
さらに、補助電流供給回路の動作インピーダンスが低くなる、低い記録速度で記録するときに電源供給スイッチをターンオフすることによって、補助電流供給回路の低い動作インピーダンス特性に起因するド磁気ヘッドライブ回路の動作インピーダンスの低下を防止することができる。
【０１５４】
このようなドライブ回路の動作インピーダンスの低下防止によって、該補助電流供給回路、電流制限抵抗並びに磁気ヘッドに流れる無駄な電流消費・電力消費を低減することができる。また同時に、磁気ヘッドに過大な電流が流れることが防止されるので、該磁気ヘッドに用いられるコア及びコイルの温度上昇や、温度上昇によりコイルに断線等が発生することを防止することができる。
【０１５５】
なお、上記の実施形態に、補助電流供給回路にコイルを用いる方法と、ダイオードを用いる方法を示したが、発明者の検討によれば、補助電流供給回路にコイルを用いる方法の方が、磁気ヘッドの電流を高速に反転することができる。また、該補助電流供給回路にダイオードを用いる方法は、磁気ヘッドドライブ回路および磁気ヘッドの無駄な電流消費および電力消費を低減する効果を有する。
【０１５６】
以上説明したように、本発明による磁気ヘッドドライブ回路は、光磁気ディスクの記録速度に応じて、最適な磁気ヘッドドライブ回路を実現することができる。
さらには、光磁気ディスクの記録速度に応じて、例えば高速モード・低速モードを切り替える装置においては、該補助電流供給回路に磁気ヘッドのインダクタンスよりも十分に大きなコイルを用い、また別の場合として、中速モードと低速モードとを切り替える装置においては、該補助電流供給回路にダイオードを用いることが有効である。
【０１５７】
また、本発明の第２の磁気ヘッドドライブ回路によれば、記録速度が高速である場合には、定電流源から補助電流供給回路に記録速度に応じた定電流を供給し、該補助電流供給回路を用いて、磁気ヘッドに流れる電流の高速な反転を実現することができる。
【０１５８】
また、記録速度が低速である場合には、定電流源から補助電流供給回路に、記録速度が高速である場合より小さい定電流を供給し、磁気ヘッドに流れる電流の低速の反転を実現することができる。
【０１５９】
さらに、低い記録速度の場合には、定電流源から補助電流供給回路に、記録速度が高速である場合より小さい定電流を供給し、または定電流源から補助電流供給回路への電流の供給を停止する。これにより、補助電流供給回路の低い動作インピーダンス特性に起因する磁気ヘッドドライブ回路の動作インピーダンスの低下を防止すると共に、該補助電流供給回路、および磁気ヘッドに生じる無駄な電流消費・電力消費を最低限に抑制することができる。また同時に、磁気ヘッドに過大な電流が流れることを防ぐので、該磁気ヘッドに用いられるコア及びコイルの温度上昇や、該温度上昇によりコイルが断線等の発生を防止することができる。
【０１６０】
また、本発明の磁気ヘッドドライブ回路の第１及び第２の実施形態において説明した該高速動作を通常動作モードとし、低速動作を省エネモードまたは低品質モードとして動作させることによって、該回路を含むシステムの省電力化を達成することも可能である。
【０１６１】
また、第２の実施形態において説明したように、定電流源を多段階に制御することによって、ＺＣＡＶ方式が適用される光磁気ディスクにおいて、ゾーン毎に異なる記録速度に対応する最適な駆動を容易に実現することが可能である。また、定電流源から補助電流供給回路を通って磁気ヘッドに供給する電流値を減少させ、その減少分を補償するように、定電流源からスイッチ素子で構成されるブリッジ回路を通って磁気ヘッドに供給される電流を増加させることによって、全体の消費電力を増加させることなく該磁気ヘッドの動作速度を遅くすることによって、記録磁界感度が劣化した光磁気ディスクに適応した記録処理をすることも可能である。
【０１６２】
また、本発明の第２の磁気ヘッドドライブ回路は、磁気ヘッドのインダクタンスが異なる場合においては、該磁気ヘッドのインダクタンスに応じて、定電流源を多段階に制御することによって、複数種類の磁気ヘッドに対して同様の電流反転時間と動作速度で対応することができる。
【０１６３】
以上説明したように、本発明による磁気ヘッドドライブ回路は、光磁気ディスクの記録速度に応じて、最適な磁気ヘッドドライブ回路を実現することができる。
さらには、光磁気ディスクの記録速度に応じて、例えば高速モードと低速モードとを切り替える装置においては、該補助電流供給回路に磁気ヘッドのインダクタンスよりも十分に大きなコイルを用い、また別の場合として、中速モードと低速モードとを切り替える装置においては、該補助電流供給回路にダイオードを用いることが有効である。
【図面の簡単な説明】
【図１】本発明の磁気ヘッドドライブ回路の、第１の実施形態の構成図である。
【図２】本発明の磁気ヘッドドライブ回路の、第２の実施形態の構成図である。
【図３】第１、第２の実施形態のタイミングチャートである。
【図４】図１の実施形態において補助電流供給回路にダイオードを用いた場合の構成図である。
【図５】図２の実施形態において補助電流供給回路にダイオードを用いた場合の構成図である。
【図６】従来の磁気ヘッドドライブ回路の構成図である。
【図７】従来の磁気ヘッドドライブ回路の構成図である。
【図８】従来の磁気ヘッドドライブ回路の構成図である。
【符号の説明】
１　磁気ヘッド
２Ａ、２Ｂ、２Ｃ、２Ｄ　トランジスタまたはＦＥＴ等によるスイッチ
３Ａ、３Ｂ　コイルまたはダイオード等による補助電流供給回路
４Ａ、４Ｂ、４Ｃ、４Ｄ　ＯＮ／ＯＦＦ制御信号
５Ａ、５Ｂ　電流制限抵抗
６Ａ、６Ｂ　電流制限抵抗
７　電源供給スイッチ
８Ａ、８Ｂ　定電流源または可変電圧源
９Ａ、９Ｂ　電流値制御信号
【図１】
2004039047.tif 000003
【図２】
2004039047.tif 000004
【図３】
2004039047.tif 000005
【図４】
2004039047.tif 000006
【図５】
2004039047.tif 000007
【図６】
2004039047.tif 000008
【図７】
2004039047.tif 000009
【図８】
2004039047.tif 000010